(57)【特許請求の範囲】
【請求項１】
操作機構を収納する操作箱の上面を貫通して前記操作機構により垂直軸周りに回転可能に形成されるとともに前記上面に置かれた異物との干渉により回転動作が阻害される回転ロッドにおける前記上面の上方で前記回転ロッドの外周面に固定されるバンド状部材と、
基端部が前記バンド状部材に固定されて先端部が斜め下方に向かうとともにバンド状部材の周方向に分散して配設され、前記周方向で隣接するもの同士の間隔が前記異物の径よりも小さくなるように形成されたスポーク部材とを有することを特徴とする回転ロッドの操作障害防止具。
【請求項２】
請求項１に記載する回転ロッドの操作障害防止具において、
前記バンド状部材の内周面に永久磁石を固着し、磁性体である前記回転ロッドに前記永久磁石の磁力により前記バンド状部材を前記回転ロッドに固定するように構成したことを特徴とする回転ロッドの操作障害防止具。
【請求項３】
請求項１または請求項２に記載する回転ロッドの操作障害防止具において、
前記バンド状部材は、前記周方向の少なくとも一箇所においてヒンジ部を介して連結された複数の部材からなることを特徴とする回転ロッドの操作障害防止具。
【請求項４】
請求項１〜請求項３の何れか一つに記載する回転ロッドの操作障害防止具において、
基端部が前記バンド状部材に固定されて先端部が斜め上方に向かうとともにバンド状部材の周方向に分散して配設された他のスポーク部材を有することを特徴とする回転ロッドの操作障害防止具。
【請求項５】
請求項１〜請求項４の何れか一つに記載する回転ロッドの操作障害防止具において、
前記回転ロッドは断路器の操作ロッドであり、
前記上面は前記操作ロッドを回転させる操作機構を収納する操作箱の上面であることを特徴とする回転ロッドの操作障害防止具。
【発明の詳細な説明】
【技術分野】
【０００１】
本発明は回転ロッドの操作障害防止具に関し、特に垂直軸周りに操作ロッドを回転させて入切動作を行わせる断路器の操作箱の上面への置石の防止に適用して有用なものである。
【背景技術】
【０００２】
断路器（ＬＳ）は発・変電所において基本的に屋外に設置されている。そこで、飛来する鳥(特にカラス)が前記断路器の操作機構を収納する操作箱の上面に置石をする場合がある。このときの置石の位置によっては断路器本体と前記操作機構とを連結している垂直軸である操作ロッドの回転が阻害される場合が生起される。操作ロッドがその回転に伴い置石と干渉する場合があるからである。この場合には断路器の操作不具合を引き起こすという問題が発生する。
【０００３】
このため、かかる不具合が発生する都度、現場に出向きカラスによって置かれた異物を取り除く作業を強いられる。一方、置石等の異物が操作ロッドの回転と干渉するような状態で操作箱の上面に置かれている場合には事故発生時における断路器の遠隔操作ができず、復旧操作に支障を生じることとなる。
【０００４】
この種の鳥害を防ぐための解決策を提案する先行技術の一例として特許文献１がある。特許文献１はホルダーに放射状の針金を複数配設した防止具を提供することにより、これを被害防止箇所に設置し、鳥が止まろうとしても止まる場所がなく、このことにより鳥害を防止するというものである。
【０００５】
かかる特許文献１は、鳥が止まろうとしても止まる場所をなくすための先願技術であり、全ての針金は水平よりも上方を向くように設置されており、断路器の操作箱と操作ロッドとの部分で形成される特殊形状の場合には水平方向から鳥が進入することができるので、効果がない。また、回転ロッドは回転するものであるため、この回転動作は保証されなければならないが、特許文献１の構造ではその保証がなく、回転機構を有する複雑な形状の機器には設置することができないという問題もある。
【先行技術文献】
【特許文献】
【０００６】
【特許文献１】特開２０００−２５３２８１号公報
【発明の概要】
【発明が解決しようとする課題】
【０００７】
特許文献１以外にも、鳥害を防止するため、音、光等を発生させて威嚇する装置や針金・保護マット等を用いた防止金具等が提案されているが、何れも断路器の操作箱に対する置石等、操作ロッドの回転を阻害するような異物との干渉を考慮してその対策を講じたものではない。
【０００８】
本発明は、上記従来技術に鑑み、垂直軸周りに回転する回転ロッドの所定の回転を阻害する置石等の異物を排除し得る回転ロッドの操作障害防止具を提供することを目的とする。
【課題を解決するための手段】
【０００９】
本発明の第１の態様は、
操作機構を収納する操作箱の上面を貫通して前記操作機構により垂直軸周りに回転可能に形成されるとともに前記上面に置かれた異物との干渉により回転動作が阻害される回転ロッドにおける前記上面の上方で前記回転ロッドの外周面に固定されるバンド状部材と、
基端部が前記バンド状部材に固定されて先端部が斜め下方に向かうとともにバンド状部材の周方向に分散して配設され、前記周方向で隣接するもの同士の間隔が前記異物の径よりも小さくなるように形成されたスポーク部材とを有することを特徴とする回転ロッドの操作障害防止具にある。
【００１０】
本態様によれば、操作箱の上方に操作障害防止具が装着され、かかる状態でそのスポーク部分に置石等の異物がおかれてもスポークの傾斜に沿って斜め下方に落下する。ここで、隣接するスポーク間は異物の径よりも小さくしてあるので、異物は操作箱の上面には落下することなく、必ず操作箱の外縁よりも外側に落下するようにすることができる。
【００１１】
この結果、操作箱の上面に鳥等により異物が置かれることはなく、回転ロッドが前記異物に接触することにより、その回転動作が阻害されるという不都合を未然に防止することができる。
【００１２】
また、バンド状部材に基端部が固着されている部材はスポーク部材であるので、隣接するスポーク部材間を風が通り抜けることができ、風圧により余計な圧力が当該操作障害防止具に作用するのを防止することができる。また、スポーク部材はある程度の可撓性を有するので、装着位置に合わせて、形状を適宜変化させることが簡単に可能になる。
【００１３】
さらに、本態様に係る操作障害防止具は回転ロッドと一体となって回転するので、当該操作障害防止具を装着したことで回転ロッドの所期の回転動作が阻害されることはない。
【００１４】
本発明の第２の態様は、
第１の態様に記載する回転ロッドの操作障害防止具において、
前記バンド状部材の内周面に永久磁石を固着し、磁性体である前記回転ロッドに前記永久磁石の磁力により前記バンド状部材を前記回転ロッドに固定するように構成したことを特徴とする回転ロッドの操作障害防止具にある。
【００１５】
本態様によれば、バンド状部材を磁力により回転ロッドに固定することができるので、このバンド状部材の回転ロッドに対する着脱が容易になり、ひいては当該操作障害防止具の付け替え等の作業がきわめて簡単になる。
【００１６】
本発明の第３の態様は、
第１または第２の態様に記載する回転ロッドの操作障害防止具において、
前記バンド状部材は、前記周方向の少なくとも一箇所においてヒンジ部を介して連結された複数の部材からなることを特徴とする回転ロッドの操作障害防止具にある。
【００１７】
本態様によれば、ヒンジ部分を中心に折り曲げることができるので、回転ロッドの径が異なる場合でも簡単にバンド状部材を回転ロッドに装着することができる。
【００１８】
本発明の第４の態様は、
第１〜第３の態様の何れか一つに記載する回転ロッドの操作障害防止具において、
基端部が前記バンド状部材に固定されて先端部が斜め上方に向かうとともにバンド状部材の周方向に分散して配設された他のスポーク部材を有することを特徴とする回転ロッドの操作障害防止具にある。
【００１９】
本態様によれば、他のスポーク部材が斜め上方に向かって配設されているので、鳥がスポーク部材に止まること自体を阻止することができ、より確実に置石等の有害な異物の除去に寄与し得る。
【００２０】
本発明の第５の態様は、
第１〜第４の態様の何れか一つに記載する回転ロッドの操作障害防止具において、
前記回転ロッドは断路器の操作ロッドであり、
前記上面は前記操作ロッドを回転させる操作機構を収納する操作箱の上面であることを特徴とする回転ロッドの操作障害防止具にある。
【００２１】
本態様は操作障害防止具を断路器に適用した場合であるが、この場合には操作箱の上面に異物が置かれることによる断路器の入切動作への障害を完全に除去することができるので、遠隔操作であっても安定した断路器の所定の操作が保証される。したがって、事故発生時の対応も適確かつ迅速に行うことができる。
【発明の効果】
【００２２】
本発明によれば、以下の効果を奏することができる。
１）既設備を改造することなく、取り付け可能である。
２）カラス等の置石による断路器等の機器動作不具合の被害発生を未然に防止し得る。
３）前記機器動作不具合の発生が低減でき、現場機器巡視業務の削減を図ることができる。すなわち巡回作業の負荷を低減することができる。
４）系統事故発生時の機器操作に支障を生じさせないため、事故を迅速に復旧させることができる。
【図面の簡単な説明】
【００２３】
【図１】本発明の実施の形態に係る操作障害防止具を適用する電気機器である断路器を示す斜視図である。
【図２】図１の操作ロッドに本発明の第１の実施の形態に係る操作障害防止具を装着した状態で、操作箱およびその近傍部分を抽出・拡大して示す拡大図である。
【図３】本発明の第１の実施の形態に係る操作障害防止具を示す斜視図である。
【図４】本発明の第２の実施の形態に係る操作障害防止具を示す斜視図である。
【図５】本発明の第３の実施の形態に係る操作障害防止具を示す斜視図である。
【発明を実施するための形態】
【００２４】
以下、本発明の実施の形態を図面に基づき詳細に説明する。
【００２５】
図１は本発明の実施の形態に係る操作障害防止具を適用する電気機器である断路器を示す斜視図である。同図に示すように、断路器１は、架台である支柱２上に三相分のベース３（３ａ，３ｂ，３ｃ）が平行に設置され、それぞれのベース３の上面中央部に、スラストベアリング４を介して回転碍子５が垂直かつ回転自在に取り付けられている。また、ベース３の両端部には、その上面に固定碍子６が垂直に固定され、これら回転碍子５や固定碍子６によって碍子装置７が構成されている。
【００２６】
回転碍子５の上端には、ブレード８が支持部９を介して水平に固定され、ブレード８は、回転碍子５の回転に伴い一体に回転するようになっている。また、固定碍子６の上端には、架線１０が接続される端子台１１ａや、この端子台１１ａに電気的に接続されたフィンガコンタクト１１ｂ等を有する接触端子１１が設けられている。前記ブレード８は、導電性部材によって形成され、両端部にフィンガコンタクト１１ｂと接触可能な接点を構成するブレードコンタクトが設けてある。
【００２７】
支柱２には、手動又は自動によって操作ロッド１２を回転駆動させる操作機構を収納する操作箱１３が取り付けられている。ここで、操作ロッド１２の先端は、ベース３に取り付けられたスラストベアリング４に駆動機構１４を介して接続されている。この駆動機構１４を介して操作ロッド１２と接続されたスラストベアリング４は、操作丸棒１５を介して他の相のスラストベアリング４に接続されている。
【００２８】
かかる断路器１において操作機構で発生する回転力は、操作ロッド１２、駆動機構１４を介してスラストベアリング４に伝達されるとともに、操作丸棒１５を介して他の相のスラストベアリング４にも伝達され、それぞれのスラストベアリング４を介して回転碍子５に伝達されるので、それぞれの相の回転碍子５が同期して回転する。この結果、各相の接触端子１１，１１に対して各ブレード８の両端が離反乃至接触することにより架線１０，１０間を開閉する。すなわち、各相のブレード８が同一の開閉動作を行う。
【００２９】
本発明の実施の形態に係る操作障害防止具は、例えば上述の如き断路器１の操作ロッド１２に装着される。すなわち、操作ロッド１２は、操作機構を収納する操作箱１３の上面１３Ａを貫通して前記操作機構により垂直軸周りに回転可能に形成されている回転ロッドである。
【００３０】
図２は図１の操作ロッドに本発明の第１の実施の形態に係る操作障害防止具を装着した状態で、操作箱およびその近傍部分を抽出・拡大して示す拡大図である。同図に示すように、操作箱１３の上面１３Ａにおける操作ロッド１２の突出部分にはボス部１２Ａが一体的に形成してあり、このボス部１２Ａの外周面に突設されたストッパ部材１６が、上面１３Ａに突設・固定されたストッパ部材１７に、操作ロッド１２の回転に伴い当接して操作ロッド１２の回転が規制されるように構成してある。したがって、ストッパ部材１６，１７が図２に示すように離れている場合において、その間で上面１３Ａに異物１８が置かれると、この状態で操作ロッド１２が回転されてストッパ部材１６が図中左方向に移動した場合には、ストッパ部材１６とストッパ部材１７との間に異物１８が挟まってしまい、これ以上の回転ができなくなる。すなわち、断路器としての所定の入切動作ができなくなる。
【００３１】
ちなみに、本形態に係る操作障害防止具Ｉが操作ロッド１２に装着されていない従来においては、鳥１９が異物１８である石を咥えてストッパ部材１６とストッパ部材１７との間で上面１３Ａに置く可能性があった。
【００３２】
これに対し本形態に係る操作障害防止具Ｉを装着した場合には、上述の如き置石の可能性を完全に除去することができる。この点を操作障害防止具Ｉの具体的な構成とともにさらに詳細に説明する。
【００３３】
図３は本発明の第１の実施の形態に係る操作障害防止具を示す斜視図である。同図に示すように、本形態に係る操作障害防止具Ｉは、上面１３Ａ（図２参照。以下同じ。）の上方で操作ロッド１２の外周面に固定されるバンド状部材２１と、基端部がバンド状部材２１に固定されて先端部が斜め下方に向かうとともにバンド状部材２１の周方向に分散して多数配設されているスポーク部材２２とを有する。ここで、スポーク部材２２は操作ロッド１２の周方向で隣接するもの同士の間隔が異物１８（図２参照。以下同じ。）の径よりも小さくなるように形成されている。したがって、スポーク部材２２間に異物１８が置かれても下方の上面１３Ａに落下することはなく、スポーク部材２２に沿って斜め下方に向けて落下される。この結果、操作箱１３（図２参照。以下同じ。）の外縁よりも外側に落下される。
【００３４】
本形態におけるバンド状部材２１の内周面には複数（図では４個）の永久磁石２３が固着されており、本形態では磁性体である操作ロッド１２に永久磁石２３の磁力によりバンド状部材２１を固定するようになっている。
【００３５】
このように、バンド状部材２１を永久磁石２３で操作ロッド１２の外周面に固着する構造とすることは必須ではないが、本形態の如く、バンド状部材２１を磁力により操作ロッド１２に固定するように構成することで、バンド状部材２１の操作ロッド１２に対する着脱がきわめて容易になる。
【００３６】
さらに、本形態におけるバンド状部材２１は複数個（図では３個）のヒンジ部２４で複数の部分（図では４部分）が連結されている。このことにより、操作ロッド１２の径が変化しても柔軟に対応し得る。
【００３７】
また、本形態においては、基端部がバンド状部材２１に固定されて先端部が斜め上方に向かうとともにバンド状部材２１の周方向に分散して配設された他のスポーク部材２５を有する。かかるスポーク部材２５は必ずしも設ける必要はないが、これを設けることにより、鳥１９がスポーク部材２５に止まること自体を阻止することができ、より確実に置石等の有害な異物１８の除去に寄与し得る。
【００３８】
かかる本形態の操作障害防止具Ｉは取手２６を掴んで左右に開くことにより、バンド状部材２１の各部分がヒンジ部２４を回動中心として回動することにより開かれるので、この状態でバンド状部材２１を操作ロッド１２の外周面に巻き付けるようにして永久磁石２３の磁力により固定する。
【００３９】
この結果、操作箱１３の上面１３Ａの上方でスポーク部材２２が操作ロッド１２の周面に沿い放射状に並んだ状態となる。この結果、鳥１９等による上面１３Ａへの置石等の異物１８を置く行為を完全に防止することができる。
【００４０】
図４は本発明の第２の実施の形態に係る操作障害防止具を示す斜視図である。同図に示すように、本形態に係る操作障害防止具IIは、バンド状部材３１の内周面が矩形になるように各部材をヒンジ部３４で連結したものである。かかるバンド状部材３１には、先端部が斜め下方に向かうとともにバンド状部材３１の周方向に分散して多数配設されているスポーク部材３２の基端部がそれぞれ固定してある。本形態でもバンド状部材３１の内周面には永久磁石３３が固着してあり、これら永久磁石３３を介して操作ロッド１２の外周面に固着するようになっている。また、本形態においても取手３６を掴んでバンド状部材３１を左右に開くことにより、バンド状部材３１の各部分がヒンジ部３４を回動中心として回動することにより開かれるので、この状態でバンド状部材３１を操作ロッド１２の外周面に巻き付けるようにして永久磁石３３の磁力により固定する。
【００４１】
図５は本発明の第３の実施の形態に係る操作障害防止具を示す斜視図である。同図に示すように本形態に係る操作障害防止具IIIは、スポーク部材２２間にメッシュ状の網２７を張ったものである。このように構成することでスポーク部材２２と一体となった部分の強度を向上させることができる。このように網２７を張った点を除き、他の構成は図３に示す第１の実施の形態と全く同様である。そこで、図３と同一部分には同一番号を付し、重複する説明は省略する。
【００４２】
なお、上記実施の形態においては、回転ロッドを断路器の操作ロッド１２とし、操作機構を収納する操作箱を断路器の操作箱１３としてこれらを例に採り説明したが、勿論これに限るものではない。操作箱１３と同様の上面１３Ａを有し、この上面１３Ａに異物１８が置かれた場合、垂直軸周りに回転する操作ロッド１２等の回転ロッドの回転と干渉する場合には同様に適用し得る。例えば、本発明に係る操作障害防止具を適用可能な他の装置としてラインアース（ＬＥ）装置を挙げることができる。
【００４３】
また、上記実施の形態では永久磁石２３等を固定部材として用いたが、これに限る必要もない。ただ、永久磁石２３等を用いた取付け方法とすることで機器点検作業時には工具なしで取り外しが可能となり作業効率を向上させることができる等の利点がある。なお、取付け部であるバンド状部材２１等は柔軟性をもった可撓素材とすることで操作ロッド１２の各サイズに対応可能となる。このときの材質は、耐候性に優れ、弾力性があり、折れにくいものが好適であるが、特に限定はされない。すなわち、特殊金属を使用する必要はない。
【産業上の利用可能性】
【００４４】
本発明は垂直軸周りに回転する操作ロッドを有する断路器等の電力機器を設置する設備を有する電力業界等の産業分野において有効に利用することができる。
【符号の説明】
【００４５】
１                                断路器
１２                                操作ロッド
１３                                操作箱
１３Ａ                              上面
１８                                異物
２１，３１                          バンド状部材
２２，３２                          スポーク部材
２３，３３                          永久磁石
２４，３４                          ヒンジ部
２５                                他のスポーク部材
【図１】
0005355652.tif 000002
【図２】
0005355652.tif 000003
【図３】
0005355652.tif 000004
【図４】
0005355652.tif 000005
【図５】
0005355652.tif 000006